(57)【要約】【課題】  本発明が解決しようとする課題は、戸口を密閉して防音や電波障害の発生を防止することのできる吊り引戸の戸口密閉装置をシンプルな構造で堅牢にして故障をなくし、しかも安価に提供することにある。【解決手段】  本発明はレール上を走行するロールを上端とする少なくとも２組の吊下げ金具を設け、該吊下げ金具のそれぞれに走行方向に直交するくり孔付の摺動板を配設して、吊り引戸を吊下げ支持させ、該摺動板のくり孔を通して吊下げ金具間に連動軸を張設するとともに、該連動軸に挿着して連動軸の回動にて戸口側に傾倒回動して摺動板を戸口および床面方向に押し移動させる円盤を嵌付け、該吊り引戸の戸閉め走行の終盤に該連動軸を回動して円盤を傾倒回動させることにより吊り引戸を戸口側と床面方向に移動させて床面上を含んで戸口を密閉にある。【選択図】図８
2005120772.tif 000002
【特許請求の範囲】
【請求項１】
レール上を走行するロールを上端とする少なくとも２組の吊下げ金具を設け、該吊下げ金具のそれぞれに走行方向に直交するくり孔付の摺動板を配設して、吊り引戸を吊下げ支持させ、該摺動板のくり孔を通して吊下げ金具間に連動軸を張設するとともに、該連動軸に挿着して連動軸の回動にて戸口側に傾倒回動して摺動板を戸口および床面方向に押し移動させる円盤を嵌付け、該吊り引戸の戸閉め走行の終盤に該連動軸を回動して円盤を傾倒回動させることにより吊り引戸を戸口側と床面方向に移動させて床面上を含んで戸口を密閉するようにしたことを特徴とする吊り引戸の戸口密閉装置。
【請求項２】
吊り引戸の把手の回動操作にて駆動杆を上下動して連動軸を回動し、円盤を傾倒回動させて摺動板を押し移動させる請求項１に記載の吊り引戸の戸口密閉装置。
【請求項３】
吊り引戸を開閉走行させるレールとロールを上段凹み部と下段凹み部の２組の段違い部にて形成して吊り引戸の走行時の横振れを防止するようにした請求項１または２に記載の吊り引戸の戸口密閉装置。
【請求項４】
レール上に上端面を細くした補助レールを取付けて、ロールとの間の走行摩擦を軽減させた請求項１乃至３のいずれかに記載の吊り引戸の戸口密閉装置。
【発明の詳細な説明】
【技術分野】
【０００１】
この発明は吊り引戸の戸口密閉装置に関するものである。
【背景技術】
【０００２】
吊り引戸は床面をフラットにして利用することができるため、従来より広く用いられているが、壁面等をこすらないようにするために壁面，床面から離れたところを水平走行して戸口の外面を開閉するようにしている。
【０００３】
従って、吊り引戸を閉じ走行させて戸口前に至ったときに戸口との間で下端の床面を含む四周に隙間が生じて、室内は外部音の流入により防音性に欠け、また電磁波等が室内に流入して、病院などにおいては室内機器や機器室内の精密機器、測定機器などに誤作動等の電波障害を発生させているという問題があった。
【０００４】
そこで本願発明者は特許第３２７８８２２号にて前記の問題を解決する１つの発明を提案した。該発明は上面の長手方向にレール溝を設けたガイド枠に移動体を開閉走行するように取付け、該移動体の上面上に連回動する前後２個の傾斜円板を取付け、該両傾斜円板の回動により、傾斜円板への吊り軸の取付部が上下動するように支持するとともに、該前側の傾斜円板の外端上に前記レール溝に嵌合するガイドバーを設け、該引戸の引き移動による戸締めの終盤に該ガイドバーが前記レール溝の曲折部内を移動することにより前記前後の吊り軸を戸口側へ連動接近且つ降下させることにより戸口の全面を下面を含んで密閉することを特徴とする吊り引戸の戸口密閉装置にある。
【特許文献１】特許第３２７８８２２号公報
【発明の開示】
【発明が解決しようとする課題】
【０００５】
前記の発明は目的を充分に満足することができるものであるが、構成が複雑で精密なため高価になるという欠点がある。本発明は全く異なるシンプルな構成にて同効が得られ、しかも堅牢で安価な吊り引戸の密閉装置を新規に提供することを課題とするものである。
【課題を解決するための手段】
【０００６】
本発明はレール上を走行するロールを上端とする少なくとも２組の吊下げ金具を設け、該吊下げ金具のそれぞれに走行方向に直交するくり孔付の摺動板を配設して、吊り引戸を吊下げ支持させ、該摺動板のくり孔を通して吊下げ金具間に連動軸を張設するとともに、該連動軸に挿着して連動軸の回動にて戸口側に傾倒回動して摺動板を戸口および床面方向に押し移動させる円盤を嵌付け、該吊り引戸の戸閉め走行の終盤に該連動軸を回動して円盤を傾倒回動させることにより吊り引戸を戸口側と床面方向に移動させて床面上を含んで戸口を密閉するようにして、かかる課題を解決したのである。
【発明の効果】
【０００７】
本発明は吊り引戸による戸閉め時に床面上を含んで戸口を密閉するようにしたので、すぐれた防音と、特に電磁波の室内侵入を防止して精密機器類を誤作動させないという効果を生ずる。
【０００８】
吊り引戸の戸閉め走行の際に、その終盤で把手を密閉側に回動操作すると、駆動杆の上動により連動軸が回動して円盤は戸口側に降下を含んで傾倒回動して摺動板を押し移動且つ降下させるので、吊り引戸は戸口側に寄り移動しながら降下して床面上を含んで戸口を密閉することとなる。吊り引戸を開き走行させるときは、把手を逆回動操作すると戸口の密閉が解かれるので、吊り引戸は円滑に開き走行することができる。このようにして構造が単純なため故障がなく、安価にて提供することができるという効果を生ずる。
【０００９】
摺動板に設けるくり孔に降下を含んで傾倒回動する円盤を嵌付けて、該摺動板を降下を含んで摺動するようにしたので、構造は簡易で堅牢であり、長期に亘って作動し続けるという効果を生ずる。
【００１０】
吊り引戸を開閉走行させるレールとロールを上段凹み部と下段凹み部の２組の段違い部にて形成したので、吊り引戸の走行時の横振れが防止されて安定走行させることができるという効果を生ずる。
【００１１】
レールの上端面に細くした補助レールを設けてロールとの間の走行摩擦を軽減するようにしたので、吊り引戸をごく軽く開閉走行させることができるという効果を生ずる。
【発明を実施するための最良の形態】
【００１２】
本発明はレール上を走行するロールを上端とする少なくとも２組の吊下げ金具を設け、該吊下げ金具のそれぞれに走行方向に直交するくり孔付の摺動板を配設して、吊り引戸を吊下げ支持させ、該摺動板のくり孔を通して吊下げ金具間に連動軸を張設するとともに、該連動軸に挿着して連動軸の回動にて戸口側に傾倒回動して摺動板を戸口および床面方向に押し移動させる円盤を嵌付け、該吊り引戸の戸閉め走行の終盤に該連動軸を回動して円盤を傾倒回動させることにより吊り引戸を戸口側と床面方向に移動させて床面上を含んで戸口を密閉するようにしたのである。吊り引戸を開閉走行させるレールとロールを上段凹み部と下段凹み部の２組の段違いにて形成して吊り引戸の走行時の横振れを防止し、さらに各レール上に上端面を細くした補助レールを取付けて、ロールとの間の走行摩擦を軽減するようにしている。
【実施例１】
【００１３】
戸口１の外側上方に設けるレール２上を走行するロール３を有す前後２組の吊下げ金具４，４と、吊下げ金具４，４に走行方向と直交する方向に摺動する摺動板５，５を配して吊り引戸６を吊下げ支持する。摺動板５，５は吊り引戸６を支持しやすいようにＬ形板５，５として横板部下にボルト７，７止めにて吊り引戸６を支持している。Ｌ形板５，５の各縦板部の中間に設ける円形のくり孔８，８に吊下げ金具４，４間に張設した連動軸９と該連動軸９ををもとに戸口１側に下動を含んで傾倒回動する同一形の円盤１０，１０を嵌付けて、もって連動軸９の正逆回動により円盤１０，１０を傾倒回動させて摺動板５，５を押し移動して、吊り引戸６を戸閉め時には戸口１側に降下を伴って寄せ移動させ、開き走行時は逆移動するようにしている。
【００１４】
円盤１０，１０は下端部を連動軸９にて貫通着し、連動軸９を正逆回動すると図３に示すように連動軸９をもとに戸口１側への接近と降下を含んで扇形に回動し、また戸口１から離れて上動する戻りの扇形回動をするものとなる。なお、各円盤１０，１０は吊下げ金具４，４に設けた２枚の支持板１１ａ，１１ｂ間に挟まれたＬ形板５，５内に位置するくり孔８，８に嵌付けてあるため、くり孔８，８から抜け外れないようになっている。また連動軸９は一端を吊下げ金具４より表出して、吊り引戸６の前面中間に設ける把手１２からのびた駆動杆１３の上端に回動アーム１４で連結し、把手１２の回動操作により駆動杆１３の上下動にて正逆回動して円盤１０，１０を連動して傾倒回動と起立回動をするようにしている。なお駆動杆１３は最上動位置で仮固定されるようにしている。
【００１５】
吊り引戸６を戸閉め走行する際は、その終盤で把手１２を密閉側に回動操作して駆動杆１３を上動して連動軸９を正回動させると、連動軸９に挿着した両円盤１０，１０は戸口１側に接近しつつ降下する約９０度の傾倒回動を行い、Ｌ形板５，５を挟んで吊り引戸６を戸口１側に寄せ移動と降下をさせて床面１５上を含んで戸口１を密閉することとなる。１６は戸口枠１ａの前面の上部と左右および吊り引戸６の底面６ａの戸口１側に取付けた防音と電磁波等の遮断を兼ねた密閉用の緩衝材、１７，１７は床面１５上に設けた吊り引戸６の走行安定と閉じ密閉時の安定押付けを兼ねた傘形案内ロールで、図５に示すように吊り引戸６の底面６ａは走行時には傘形案内ロール１７，１７の中間部に接しながら浮き走行し、戸口１を密閉するときは図７に示すように傘型案内ロール１７，１７の各傘部を滑り落ちして前面が押え付けられることとなる。１８，１８は戸袋側に設けた振れ止め案内ロールである。戸口１の密閉を解くときは把手１２を逆回動操作すると連動軸９が逆回動して円盤１０，１０を戻り起立回動させ、よって吊り引戸６は床面１５と戸口１から離れて元移置に戻り、開き方向に走行して戸口１を開放するのである。
【００１６】
なお、レール２は前出形の上段凹み部２ａと下段凹み部２ｂの段違い２段にて形成し、それぞれの段違いレール２ａ，２ｂに嵌合するロール３ａ，３ｂにて吊り引戸６を開閉走行するようにしている。かく構成することにより吊り引戸６は走行方向と直交する方向の振れ、すなわち横振れが防止されて走行時の安定性を格段に向上することができることとなる。さらに、上段凹み部２ａと下段凹み部２ｂ上に上端面が細い丸棒形の補助レール２ｃを取付けて、走行用のロール３ａ，３ｂとの間の摩擦を軽減させて吊り引戸６をごく軽く引き走行することができるようにしている。なお補助レール３ｃは丸棒形のほか甲丸形や三角形，台形などロール３ａ，３ｂと接面する上端面を細くする形状のものであればよい。
【００１７】
図中、１９は上下段それぞれの凹み部２ａ，２ｂ内にあって走行時のロール３ａ，３ｂの蛇行を防止するための水平ロールである。また２０は補助バネ機構で、吊り引戸６を補助的に弾性吊りして吊り引戸６の上動時の重さを軽減するために設けるものであり、２１はストッパーである。
【産業上の利用可能性】
【００１８】
本発明は以上のようにして、簡易な構成にて堅牢で安価な吊り引戸の密閉装置を提供することができるので、防音と電磁波の遮断を望むあらゆる戸口の密閉装置として広範に利用することができるものとなる。
【図面の簡単な説明】
【００１９】
【図１】吊り引戸を開き（戸袋）側に走行して戸口を開放した状態にて示す全体正面図
【図２】戸閉め側部分の部分拡大斜視図
【図３】円盤の傾倒（扇形）回動を示す説明図
【図４】吊り引戸を閉じ走行して戸口の前面に対峙させた状態の全体正面図
【図５】同、拡大側断面図
【図６】把手の回動により円盤を傾倒回動させて吊り引戸を戸口，床面に寄せ降下して密閉した状態を示す全体正面図
【図７】同、拡大側断面図
【図８】（ａ）（ｂ）は吊り引戸の動きを示す要部の拡大側断面図
【図９】（ａ）はレールと一方の吊り金具を示す部分平面図、（ｂ）は補助バネ機構を示す部分側面図
【符号の説明】
【００２０】
１は戸口
１ａは戸口枠
２はレール
２ａは上段凹み部
２ｂは下段凹み部
２ｃは補助レール
３，３ａ，３ｂは走行用のロール
４，４は吊下げ金具
５，５は摺動板（Ｌ形板）
６は吊り引戸
６ａは吊り引戸の底面
７，７はボルト
８，８はくり孔
９は連動軸
１０，１０は円盤
１１ａ，１１ｂは支持板
１２は把手
１３は駆動杆
１４は回動アーム
１５は床面
１６は防音と電磁波等の遮断とを兼ねた密閉用の緩衝材
１７は傘形案内ロール
１８は振れ止め案内ロール
１９は水平ロール
２０は補助バネ機構
２１はストッパー
【図１】
2005120772.tif 000003
【図２】
2005120772.tif 000004
【図３】
2005120772.tif 000005
【図４】
2005120772.tif 000006
【図５】
2005120772.tif 000007
【図６】
2005120772.tif 000008
【図７】
2005120772.tif 000009
【図８】
2005120772.tif 000010
【図９】
2005120772.tif 000011